(57)【要約】【課題】被殺菌体に影響を与えることなく、その被殺菌体を簡単且つ容易に殺菌・消臭することができるミスト式殺菌装置を提供する。【解決手段】例えば足、手等の身体Ｄの被殺菌部Ｄａを、ミスト式殺菌装置１を構成する装置本体２の殺菌室６に設けた開口部６ａから挿入し、貯溜槽４に貯溜された殺菌液Ａを、超音波振動装置５の超音波振動により霧状化して、その霧状化した微細なミストＢを殺菌室６内に放出及び拡散する。略充満する殺菌室６内の微細なミストＢを、殺菌室６内に挿入された身体Ｄの被殺菌部Ｄａに対して直接的に接触させるか、衣服の上から間接的に接触させる等して殺菌・消臭する。【選択図】  図３
2006129886.tif 000002
【特許請求の範囲】
【請求項１】
天然の材料から抽出した抗菌性物質を主成分とする殺菌液を貯溜する貯溜槽と、
上記貯溜槽に貯溜された殺菌液を超音波振動により微細なミストに霧状化する超音波振動手段と、
上記超音波振動手段の超音波振動により発生される殺菌液の微細なミストを放出する殺菌室とを備え、
上記微細なミストにより殺菌処理される被殺菌体を出し入れすることが可能な開口部を上記殺菌室に設けた
ミスト式殺菌装置。
【請求項２】
上記殺菌室の開口部を、上記被殺菌体の挿入時において、該開口部と被殺菌体との間に生じる隙間が狭く、上記殺菌室内に放出されたミストの流出が制限されるような大きさ及び形状に設けた
請求項１記載のミスト式殺菌装置。
【請求項３】
上記貯溜槽の殺菌室に隣接する側の側壁を、上記超音波振動手段の振動時に発生する殺菌液の飛沫が殺菌室側に向けて飛散するのを阻止する高さに設けた
請求項１又は２記載のミスト式殺菌装置。
【請求項４】
上記殺菌液の通過が阻止され、上記ミストのみの通過が許容される膜状スクリーンを、上記貯溜槽上部の空間と殺菌室上部の空間とを接続する部分に設けた
請求項１，２又は３の何れか一つに記載のミスト式殺菌装置。
【請求項５】
上記殺菌液が貯蔵された貯蔵容器を装填する装填部を設けると共に、上記ミストを発生させるのに適した液量レベルを保つために該貯蔵容器に貯蔵された殺菌液を上記貯溜槽に対して補給可能に設けた
請求項１，２，３又は４の何れか一つに記載のミスト式殺菌装置。
【請求項６】
上記殺菌液に超音波振動を誘起する超音波振動手段の駆動に略対応して点灯又は点滅する発光手段を設けた
請求項１〜４又は５の何れか一つに記載のミスト式殺菌装置。
【請求項７】
上記殺菌液を、アリルイソチオシアネート又はアリルイソチオシアネートが主成分として含まれる希釈液で構成した
請求項１〜５又は６の何れか一つに記載のミスト式殺菌装置。
【請求項８】
上記殺菌液に、上記被殺菌体に付着する臭いの成分を分解するのに必要な消臭機能を持たせた
請求項１〜６又は７の何れか一つに記載のミスト式殺菌装置
【発明の詳細な説明】
【技術分野】
【０００１】
この発明は、例えば足や手等の身体、農産物や海産物等の食品、器具や機器等の機械、靴や鞄、衣服等の生活用品を殺菌・消臭するときに用いられるミスト式殺菌装置に関する。
【背景技術】
【０００２】
従来、上述例のような身体の足を殺菌する装置としては、例えばオゾン発生装置の紫外線ランプが発生させるオゾンガスを、足先が挿入された足置き台前方の足挿入空間に流入させて脱臭及び殺菌する特許文献１の脱臭殺菌足置き台がある。
【０００３】
しかし、特許文献１の脱臭殺菌足置き台は、紫外線ランプが発生させるオゾンガスにより、足に付着した臭いの成分を分解脱臭し、水虫の原因である白癬菌を殺菌するが、紫外線は人体に対して悪影響を与えるため、紫外線の波長、照射量、照射時間の設定が難しく、医学的な専門知識を有する医者の指示に従わなければならず、取り扱いに注意が必要である。
【０００４】
上記紫外線ランプを使用しない殺菌方法としては、例えば噴霧される酸性水を患者の皮膚に吹き付けて殺菌する特許文献２の人体の皮膚の殺菌乾燥装置と、霧状の消毒液を身体の手先に吹き付けて消毒する特許文献３の噴霧式手先等消毒装置体と、濡れない微細霧を身体や頭髪、衣服に噴霧して浄化する特許文献４の簡易身体浄化法とがある。
【０００５】
しかし、特許文献２〜４の装置及び方法は、酸性水及び消毒液、微細霧が拡散しやすく、身体や頭髪や衣服を浄化するのに時間が掛かるため、殺菌効率が悪い。また、特許文献２及び３の場合、皮膚に付着する酸性水及び消毒液を払拭するか、皮膚表面を乾燥させなければならず、手間が掛かる。また、特許文献４の場合、浄化に使用された微細霧が大気中に拡散するため、払拭及び乾燥する必要がないが、単位面積当たりの浄化に使用される微細霧の損失量が多く、浄化作業に大量の微細霧を使用しなければならず、時間が掛かるという問題点を有している。
【０００６】
【特許文献１】特開２００３−３３４１９号公報
【特許文献２】特開２００１−１７０１３８号公報
【特許文献３】特開２００３−２６５５８３号公報
【特許文献４】特開２００４−１６０１３０号公報
【発明の開示】
【発明が解決しようとする課題】
【０００７】
この発明は上記問題に鑑み、天然の材料から抽出した抗菌性物質を主成分とする殺菌液のミストを殺菌室内に略充満させ、該殺菌室内に挿入された被殺菌体に接触させて殺菌処理することにより、被殺菌体に影響を与えることなく、該被殺菌体を簡単且つ容易に殺菌・消臭することができるミスト式殺菌装置の提供を目的とする。
【課題を解決するための手段】
【０００８】
請求項１に記載した発明のミスト式殺菌装置は、天然の材料から抽出した抗菌性物質を主成分とする殺菌液を貯溜する貯溜槽と、上記貯溜槽に貯溜された殺菌液を超音波振動により微細なミストに霧状化する超音波振動手段と、上記超音波振動手段の超音波振動により発生される殺菌液の微細なミストを放出する殺菌室とを備え、上記微細なミストにより殺菌処理される身体の被殺菌体を出し入れすることが可能な開口部を上記殺菌室に設けたことを特徴とする。
【０００９】
上述の被殺菌体は、例えば足や手等の身体、農産物や海産物等の食品、器具や機器等の機械、靴や鞄、衣服等の生活用品で構成することができる。また、殺菌液は、例えばワサビやショウガ、ダイコン等の天然の材料から抽出した抗菌性物質のアリルイソチオシアネートが主成分として含まれる単一液又は複合液、そのアリルイソチオシアネートを滅菌処理した水溶液（又は滅菌水）で所望する濃度に希釈した希釈液等で構成することができる。なお、アリルイソチオシアネートの代わりに、ヒノキチオールを用いることもできる。また、超音波振動手段は、例えばセラミック型発振装置、金属型発振装置、超音波振動子等で構成することができる。
【００１０】
つまり、例えば足、手等の身体の被殺菌体を殺菌・消臭する場合、殺菌室に設けた開口部から挿入し、貯溜槽に貯溜された殺菌液を、超音波振動手段の超音波振動により霧状化して、その微細なミストを殺菌室内に放出及び拡散する。略充満する殺菌室内の微細なミストを、殺菌室内に挿入された身体の被殺菌体に対して直接的に接触させるか、通気性を有する衣服の上から間接的に接触させる等して、身体の被殺菌体を殺菌処理及び消臭処理する。
【００１１】
請求項２に記載した発明のミスト式殺菌装置は、上記請求項１に記載の構成と併せて、上記殺菌室の開口部を、上記被殺菌体の挿入時において、該開口部と被殺菌体との間に生じる隙間が狭く、上記殺菌室内に放出されたミストの流出が制限されるような大きさ及び形状に設けたことを特徴とする。つまり、被殺菌体を挿入したまま殺菌処理するとき、ミストが室外に殆ど流出及び漏洩せず、ミストの損失が少なく、殺菌処理に適した濃度を保つことができる。また、開口部を、身体の両足又は片足が独立して挿入されるか、両足が一緒に挿入されるような大きさ及び形状に設けてもよい。
【００１２】
請求項３に記載した発明のミスト式殺菌装置は、上記請求項１又は２に記載の構成と併せて、上記貯溜槽の殺菌室に隣接する側の側壁を、上記超音波振動手段の振動時に発生する殺菌液の飛沫が殺菌室側に向けて飛散するのを阻止する高さに設けたことを特徴とする。つまり、超音波振動手段の振動時において、殺菌液の飛沫が殺菌室側に向けて飛散するのを仕切り部で阻止する。
【００１３】
請求項４に記載した発明のミスト式殺菌装置は、上記請求項１，２又は３に記載の構成と併せて、上記殺菌液の通過が阻止され、上記ミストのみの通過が許容される膜状スクリーンを、上記貯溜槽上部の空間と殺菌室上部の空間とを接続する部分に設けたことを特徴とする。つまり、膜状スクリーンを通過した微細なミストのみが殺菌室に供給されるため、貯溜槽に貯溜された殺菌液が漏洩又は殺菌室に流入するのを防止する。
【００１４】
請求項５に記載した発明のミスト式殺菌装置は、上記請求項１，２，３又は４に記載の構成と併せて、上記殺菌液が貯蔵された貯蔵容器を装填する装填部を設けると共に、上記ミストを発生させるのに適した液量レベルを保つために該貯蔵容器に貯蔵された殺菌液を上記貯溜槽に対して補給可能に設けたことを特徴とする。つまり、貯蔵容器に貯蔵された殺菌液を貯溜槽に随時補給して、微細なミストを発生させるのに適した液量レベルに保つ。
【００１５】
請求項６に記載した発明のミスト式殺菌装置は、上記請求項１〜４又は５に記載の構成と併せて、上記殺菌液に超音波振動を誘起する超音波振動手段の駆動に略対応して点灯又は点滅する発光手段を設けたことを特徴とする。つまり、発光手段を、室外から目視可能な明るさ及び色合いに点灯又は点滅させ、殺菌中であることを色合いの変化や点滅パターンにより表示する。また、発光手段は、例えば発光素子（ＬＥＤ素子）、電球等で構成することができる。
【００１６】
請求項７に記載した発明のミスト式殺菌装置は、上記請求項１〜５又は６に記載の構成と併せて、上記殺菌液を、アリルイソチオシアネート又はアリルイソチオシアネートが含まれる希釈液で構成したことを特徴とする。つまり、被殺菌体に付着する細菌（例えば白癬菌等）を殺菌する殺菌効果が得られる。
【００１７】
請求項８に記載した発明のミスト式殺菌装置は、上記請求項１〜６又は７に記載の構成と併せて、上記殺菌液に、上記被殺菌体に付着する臭いの成分を分解するのに必要な消臭機能を持たせたことを特徴とする。つまり、被殺菌体に付着する臭いの成分を分解する消臭効果が得られる。
【発明の効果】
【００１８】
この発明によれば、抗菌性物質のアリルイソチオシアネートを主成分とする殺菌液の微細なミストを殺菌室内に略充満させ、その殺菌室内に挿入された被殺菌体に対して直接的に接触させるか、通気性を有する衣服の布地の上から間接的に接触させる等して殺菌処理するので、医学的な専門知識がなくても、被殺菌体に影響を与えることなく、被殺菌体に付着する細菌を確実に殺菌することができる。また、微細なミストは、狭い隙間や小さな穴に侵入しやすく、通気性を有する布地の繊維隙間を通り抜けて被殺菌体に接触するため、例えば靴下やストッキング等の衣服を着用したままでも、濡れることなく、被殺菌体を殺菌することができる。また、殺菌液による殺菌効果に加えて臭いの成分を分解する消臭効果も得られる。
【００１９】
また、被殺菌体を殺菌室の開口部に挿入したとき、殺菌室の開口部と、開口部に挿入した被殺菌体との間に生じる隙間が狭くなるため、殺菌室内に放出されたミストが室外に殆ど流出及び漏洩せず、ミストの損失が少なく、殺菌処理に適した濃度に保つことができる。
【００２０】
また、超音波振動手段の振動時に発生する殺菌液の飛沫が殺菌室側に向けて飛散又は流出しようとするのを仕切り部で阻止し、貯溜槽に貯溜された殺菌液の流出及び漏洩を膜状スクリーンで阻止し、膜状スクリーンを通過した微細なミストのみを殺菌室に供給するので、装置の運搬時や横転時において、殺菌液が殺菌室に直接流入するか、殺菌室側に向けて飛散又は流出せず、装置周辺が濡れたり、汚れたりするのを防止することができる。また、ミストが室外に漏洩しても、装置周辺を殺菌及び消臭する効果が得られる。
【００２１】
また、貯蔵容器に貯蔵された殺菌液を貯溜槽に随時補給するので、貯溜槽に貯溜された殺菌液の液量レベルを、微細なミストを発生させるのに適した液量レベルに保つことができる。また、発光手段を、超音波振動手段の駆動に略対応して、室外から目視可能な明るさ及び色合いに点灯又は点滅させれば、殺菌中及び殺菌状態を色合いの変化や点滅パターンにより視認及び把握することができる。
【発明を実施するための最良の形態】
【００２２】
この発明は、被殺菌体に影響を与えることなく、その被殺菌体を簡単且つ容易に殺菌・消臭することができるという目的を、天然の材料から抽出した抗菌性物質を主成分とする殺菌液のミストを殺菌室内に略充満させ、該殺菌室内に挿入された被殺菌体に接触させて殺菌・消臭することで達成することができる。
【実施例】
【００２３】
この発明の一実施例を以下図面に基づいて詳述する。
【００２４】
図面は、被殺菌体の一例である身体の被殺菌部を殺菌・消臭するときに用いられるミスト式殺菌装置を示し、図１及び図２に於いて、このミスト式殺菌装置１は、所望する場所に設置可能又は据付可能な構造を有する装置本体２の内部に、抗菌性物質のアリルイソチオシアネート又はアリルイソチオシアネートを希釈してなる殺菌液Ａが貯蔵されたカートリッジ式の貯蔵容器Ｃを装填する装填部３と、霧状化するのに適した量の殺菌液Ａを貯溜する貯溜槽４と、貯溜槽４に貯溜された殺菌液Ａを超音波振動により微細なミストＢに霧状化する超音波振動装置５と、身体Ｄの被殺菌部Ｄａ（例えば足、手等）を殺菌液Ａの微細なミストＢで殺菌処理する殺菌室６とを備えている。
【００２５】
上記装置本体２の後側内部に設けた装填部３は、後述する殺菌液Ａが貯蔵されたカートリッジ式の貯蔵容器Ｃを装填及び抜き取りすることが容易に行えるような構造を有しており、その装填部３底部と貯溜槽４底部とは、逆止機能を有する供給路７で連通接続している。また、装填部３上部の開口部３ａに設けた蓋部３ｂは、上記貯蔵容器Ｃを装填部３に装填するか、抜き取るときに開放され、それ以外のときに閉塞される。
【００２６】
上記貯蔵容器Ｃは、例えばタンクや袋の殺菌液Ａを貯蔵することが可能な容器で構成され、その殺菌液Ａが貯蔵された貯蔵容器Ｃを装填部３に装填すると、自動閉塞機能を有する貯蔵容器Ｃの口部Ｃａが開放され、供給路７を介して、貯蔵容器Ｃに貯蔵された殺菌液Ａを貯溜槽４に供給することが可能となる。また、貯溜槽４に貯溜された殺菌液Ａの液量レベルを、微細なミストＢを発生させるのに適した液量レベルに保つことができる。
【００２７】
上記殺菌液Ａは、例えばワサビやショウガ、ダイコン等の天然の材料から抽出した抗菌性物質のアリルイソチオシアネートが主成分として含まれており、そのアリルイソチオシアネートを、予め滅菌処理した水溶液（又は滅菌水）で所望する濃度に希釈した希釈液等で構成している。また、殺菌液Ａに含まれるアリルイソチオシアネートの濃度は、必要に応じて所望する濃度に変更することもできる。
【００２８】
また、殺菌液Ａに、消臭剤及び芳香剤の少なくとも一方を所望量含ませてもよい。つまり、身体Ｄの被殺菌部Ｄａを殺菌する殺菌効果に加えて、臭いの成分を分解する消臭効果、好みの臭いを放出する芳香効果の少なくとも一方の効果が得られる。
【００２９】
前記装置本体２の中央部に設けた貯溜槽４は、霧状化するのに適した液量レベルの殺菌液Ａが貯溜される容積に形成され、貯溜槽４上部の空間と、その貯溜槽４側部に隣接する殺菌室６上部の空間とを通路８で連通接続している。また、殺菌液Ａの液量を外部から目視確認するためのレベルゲージを設けてもよい。
【００３０】
且つ、貯溜槽４と殺菌室６との隣接部分に設けた仕切り部９は、殺菌室６に隣接する貯溜槽４の側壁を高くして上記通路８の一部を構成すると共に、超音波振動装置５の振動時に発生する殺菌液Ａの飛沫が殺菌室６側に向けて飛散又は流出するのを阻止する高さに設けている。
【００３１】
且つ、貯溜槽４上部の開口部全体が覆われるように架設した膜状スクリーン１０は、殺菌液Ａの通過及び浸透を阻止し、微細なミストＢのみの通過及び浸透を許容する。つまり、貯溜槽４に貯溜された殺菌液Ａの流出及び漏洩が膜状スクリーン１０で阻止され、膜状スクリーン１０を通過した微細なミストＢのみが殺菌室６に供給されるため、殺菌液Ａが殺菌室６に直接流入するのを防止することができる。また、超音波振動装置５の振動時に発生する殺菌液Ａの飛沫が殺菌室６側に向けて飛散又は流出するのも防止することができる。
【００３２】
なお、膜状スクリーン１０を、貯溜槽４上部の空間と殺菌室６上部の空間とを接続する通路８に設けることもできる。また、仕切り部９及び膜状スクリーン１０の少なくとも一方を設けるだけでもよい。
【００３３】
且つ、貯溜槽４内部の底面部に設けた超音波振動装置５（又は超音波振動子）は、後述する制御装置１９により駆動及び停止が制御され、殺菌時において、超音波振動装置５の超音波振動により、貯溜槽４に貯溜された殺菌液Ａに超音波振動を誘起させ、微細なミストＢを発生させる。その微細なミストＢは、上記通路８を介して、貯溜槽４上部の空間から殺菌室６上部の空間に流入させる。
【００３４】
なお、超音波振動装置５の振動周波数は、後述する調節スイッチ１４の操作により所望する振動周波数に変更することができ、ミストＢの発生量を増減することが可能となる。また、超音波振動装置５を貯溜槽４外部の底面や側面に装着したり、超音波振動装置５の設置数を複数に変更することもできる。
【００３５】
前記装置本体２の前側内部に設けた殺菌室６は、図３にも示すように、例えば足や手等の身体Ｄの被殺菌部Ｄａの一部又は全部を挿入することが可能であって、殺菌液Ａの微細なミストＢを身体Ｄの被殺菌部Ｄａ全体に対して略均一に接触させるのに適した大きさ及び形状を有している。また、身体Ｄを構成する両方の被殺菌部Ｄａ（例えば両足）が独立して出し入れされる開口部６ａを、殺菌室６の前側上部に設けると共に、被殺菌部Ｄａの出し入れが容易に行えるような高さ及び角度に開口している。
【００３６】
また、被殺菌部Ｄａの出し入れを容易にする方法として、例えば殺菌室６を左右開閉可能に分割するか、前後開閉可能に分割する等してもよい。また、殺菌室６の開口部６ａを、例えば蓋やカバー等の閉塞部材で閉塞することもできる。
【００３７】
上記開口部６ａは、身体Ｄの被殺菌部Ｄａ（例えば片足）を出し入れすることが可能であって、その被殺菌部Ｄａを挿入したとき、殺菌室６内に放出された微細なミストＢの流出及び漏洩が制限されるような大きさ及び形状を有している。つまり、身体Ｄの被殺菌部Ｄａを殺菌室６の開口部６ａに挿入したとき、殺菌室６の開口部６ａと、その開口部６ａに挿入した身体Ｄの被殺菌部Ｄａとの間に生じる隙間が狭く、殺菌室６内に放出されたミストＢが室外に殆ど流出及び漏洩せず、ミストＢの損失を少なくして、殺菌処理に適した濃度に保つことができる。
【００３８】
且つ、殺菌室６の開口部６ａは、柔軟性を有する合成ゴム製の保護カバーで覆っているが、図４に示すように、柔軟性を有する合成ゴム製の舌片６ｂ…を開口部６ａの内周縁部に複数取り付けて、被殺菌部Ｄａ（例えば片足）の外面に沿う状態に変形可能に設ければ、ミストＢの流出及び漏洩が少なくすることができる。
【００３９】
また、開口部６ａを、身体Ｄを構成する両方の被殺菌部Ｄａ（例えば両足）が一緒に挿入されるような大きさ及び形状に設けてもよい。また、図５に示すように、殺菌室６の開口部６ａを、身体Ｄを構成する片方の被殺菌部Ｄａ（例えば片足）が独立して挿入されるような大きさ及び形状に設けてもよい。
【００４０】
また、開口部６ａを、例えば合成ゴムや布地、不織布等の柔軟性を有するような材質又は素材で構成するか、上記被殺菌部Ｄａの出し入れが許容されるような大きさ及び形状に変形可能又は伸縮可能に設けることもできる。
【００４１】
また、殺菌室６の一部又は全部を、例えばプラスチックやガラス等の透光性を有する材質で透明又は半透明に形成すれば、殺菌室６内に放出されるミストＢの発生具合、被殺菌部Ｄａの殺菌状態等を外部から視認することができる。
【００４２】
上記殺菌室６の開口部６ａ近傍に設けた検知センサーＳは、例えば足や手等の身体Ｄの被殺菌部Ｄａが殺菌室６に挿入されるか、抜き取られたことを検知し、その検知信号を制御装置１９に出力する。装置本体２に内蔵した制御装置１９は、検知センサーＳから出力される検知信号に基づいて、超音波振動装置５に通電するか、その通電を遮断するなどのプログラムを実行する。実施例では、検知センサーＳを、投受光部を有する光電センサーで構成しているが、例えば近接スイッチやリミットスイッチ、機械的にＯＮ・ＯＦＦ動作されるスイッチ機構等で構成することもできる。
【００４３】
且つ、図１にも示すように、超音波振動装置５に供給される電流を通電及び遮断するための電源スイッチ１２と、殺菌処理に要する時間を設定するためのタイマースイッチ１３と、ミストＢの発生量を増減するために超音波振動装置５の振動数を可変する調節スイッチ１４と、殺菌中又は通電中を表示するための通電表示ランプ１５と、ミストＢの発生量を表示する発生量表示ランプ１６とを、装置本体２の操作面に配設している。また、超音波振動装置５の駆動に略対応して点灯又は点滅する殺菌表示ランプ１７を殺菌室６内部に設け、電源（例えば一般家庭用又は工業用のコンセント）に接続されるプラグ付きの電源コード１８を、装置本体２に内蔵された制御装置１９にコンデンサー（図示省略）を介して接続している。
【００４４】
なお、上記スイッチ１２，１３，１４を、例えばダイヤル式スイッチ、静電感知式スイッチ、感圧式スイッチ、鍵盤式スイッチ、レバー式スイッチ、スライド式スイッチ等の何れか一種又は複数種で構成することもできる。
【００４５】
図６は、ミスト式殺菌装置１の制御回路ブロック図を示し、制御装置１９にはＣＰＵ、ＲＯＭ、ＲＡＭが内蔵され、ＣＰＵは、ＲＯＭ（又はＰＲＯＭ）に格納されたプログラムに沿って、検知センサーＳと、超音波振動装置５と、電源スイッチ１２と、タイマースイッチ１３と、調節スイッチ１４と、通電表示ランプ１５と、発生量表示ランプ１６と、殺菌表示ランプ１７の駆動及び停止、通電等を制御する。
【００４６】
且つ、制御装置１９は、身体Ｄの被殺菌部Ｄａが殺菌室６に挿入されたことを検知センサーＳで検知したとき、超音波振動装置５を駆動可能な状態に待機させるか、電源スイッチ１２をＯＮ状態に動作させ、通電表示ランプ１５及び発生量表示ランプ１６、殺菌表示ランプ１７を点灯又は点滅させる。また、身体Ｄの被殺菌部Ｄａが殺菌室６から抜き取られたことを検知センサーＳで検知したとき、超音波振動装置５への通電を遮断し、電源スイッチ１２をＯＦＦ状態に復帰させ、通電表示ランプ１５及び発生量表示ランプ１６、殺菌表示ランプ１７を消灯する。
【００４７】
且つ、殺菌表示ランプ１７は、超音波振動装置５の駆動に略対応して、ＲＯＭに格納されたプログラムに沿って室外から目視可能な明るさ及び色合いに点灯又は点滅し、殺菌中であることを色合いの変化や点滅パターンにより表示する。また、殺菌表示ランプ１７を、超音波振動装置５自体に設けることもできる。なお、検知センサーＳの検知に関係なく、超音波振動装置５を電源スイッチ１２のスイッチ操作で駆動及び停止させてもよい。
【００４８】
図示実施例は上記の如く構成するものにして、以下、ミスト式殺菌装置１により身体Ｄの被殺菌部Ｄａを殺菌する方法を説明する。  
先ず、図１、図２に示すように、例えば足、手等の身体Ｄの被殺菌部Ｄａを、装置本体２の殺菌室６に設けた開口部６ａから挿入した後、貯溜槽４に貯溜された殺菌液Ａを、超音波振動装置５の超音波振動により霧状化して、その霧状化した微細なミストＢを殺菌室６内に放出及び拡散させる。
【００４９】
且つ、図３に示すように、略充満する殺菌室６内の微細なミストＢを、殺菌室６内に挿入された身体Ｄの被殺菌部Ｄａに対して直接的に接触させるか、通気性を有する衣服の上から間接的に接触させる等して殺菌処理する。
【００５０】
つまり、殺菌液Ａの霧状化した微細なミストＢは、例えば手足の爪の隙間、指の間、皺の中、衣服の繊維等の身体Ｄの被殺菌部Ｄａに侵入及び浸透しやすく、また、衣服の繊維隙間を通り抜けて身体Ｄの被殺菌部Ｄａに接触するため、被殺菌部Ｄａに付着するの細菌（例えば白癬菌等）を確実に殺菌することができる。
【００５１】
また、微細なミストＢを殺菌室６内に予め放出及び拡散しておき、身体Ｄの被殺菌部Ｄａを、殺菌室６内に放出及び拡散されたミストＢ中に挿入して殺菌処理することもできる。
【００５２】
また、例えばファンやブロワ等の送風手段が発生する気流を貯溜槽４上部の空間から殺菌室６上部の空間に送り込み、貯溜槽４上部の空間に放出されるミストＢを、殺菌室６内部の空間に向けて微弱な気流により間接的に送り込んでもよい。
【００５３】
以上のように、抗菌性物質のアリルイソチオシアネートを主成分とする殺菌液Ａの微細なミストＢを殺菌室６内に略充満させ、その殺菌室６内に挿入された身体Ｄの被殺菌部Ｄａに対して直接的に接触させるか、通気性を有する衣服の布地の上から間接的に接触させる等して殺菌処理するので、医学的な専門知識がなくても、身体Ｄに影響を与えることなく、被殺菌部Ｄａに付着する白癬菌のような細菌を確実に殺菌することができる。また、微細なミストＢは、例えば爪の隙間、指の間、皺の中、衣服の繊維等の身体Ｄの被殺菌部Ｄａに侵入しやすく、靴下やストッキング等の衣服を着用したままでも、濡れることなく、身体Ｄの被殺菌部Ｄａを殺菌することができる。また、殺菌液Ａによる殺菌効果に加えて臭いの成分を分解する消臭効果も得られる。
【００５４】
また、身体Ｄの被殺菌部Ｄａを殺菌室６の開口部６ａに挿入したとき、殺菌室６の開口部６ａと、その開口部６ａに挿入した身体Ｄの被殺菌部Ｄａとの間に生じる隙間が狭くなるため、殺菌室６内に放出されたミストＢが室外に殆ど流出及び漏洩せず、ミストＢの損失を少なくして、殺菌処理に適した濃度に保つことができる。
【００５５】
また、超音波振動装置５の振動時に発生する殺菌液Ａの飛沫が殺菌室６側に向けて飛散又は流出しようとするのを仕切り部９で阻止し、貯溜槽４に貯溜された殺菌液Ａの流出及び漏洩を膜状スクリーン１０で阻止し、膜状スクリーン１０を通過した微細なミストＢのみを殺菌室６に供給するので、装置の運搬時や横転時において、殺菌液Ａが殺菌室６に直接流入するか、殺菌室６側に向けて飛散又は流出せず、装置周辺が濡れたり、汚れたりするのを防止することができる。また、ミストＢが室外に漏洩しても、装置周辺を殺菌及び消臭する効果が得られる。
【００５６】
また、貯蔵容器Ｃを装填部３に装填して、貯蔵容器Ｃに貯蔵された殺菌液Ａを貯溜槽４に随時補給するので、貯溜槽４に貯溜された殺菌液Ａの液量レベルを、微細なミストＢを発生させるのに適した液量レベルに保つことができる。また、殺菌表示ランプ１７を、超音波振動装置５の駆動に略対応して、室外から目視可能な明るさ及び色合いに点灯又は点滅させるので、殺菌中及び殺菌状態を色合いの変化や点滅パターンにより視認及び把握することができる。
【００５７】
この発明の構成と、上述の実施例との対応において、  
この発明の超音波振動手段は、実施例の超音波振動装置５に対応し、  
以下同様に、  
被殺菌体は、足や手等の身体Ｄの被殺菌部Ｄａ、農産物や海産物等の食品、器具や機器等の機械、靴や鞄、衣服等の生活用品の一部又は全部に対応し、  
発光手段は、殺菌表示ランプ１７に対応するも、  
この発明は、上述の実施例の構成のみに限定されるものではない。
【００５８】
本発明のミスト式殺菌装置１は、身体Ｄの足や手等を殺菌するのに適したサイズを有しているが、足や手以外の部分を殺菌するのに適したサイズに構成することもできる。
【産業上の利用可能性】
【００５９】
本発明のミスト式殺菌装置は、例えば農産物や海産物等の食品、器具や機器等の機械、靴や鞄、衣服等の生活用品を殺菌・消臭するのにも利用することができる。
【図面の簡単な説明】
【００６０】
【図１】微細なミストにより殺菌するミスト式殺菌装置を示す斜視図。
【図２】微細なミストの発生状態を示す縦断側面図。
【図３】微細なミストによる殺菌状態を示す縦断側面図。
【図４】複数の舌片を開口部に取り付けたミスト式殺菌装置を示す斜視図。
【図５】身体の片足を殺菌するミスト式殺菌装置を示す斜視図。
【図６】ミスト式殺菌装置の制御回路ブロック図。
【符号の説明】
【００６１】
Ａ…殺菌液
Ｂ…ミスト
Ｃ…貯蔵容器
Ｄ…身体
Ｄａ…被殺菌部
１…ミスト式殺菌装置
２…装置本体
３…装填部
４…貯溜槽
５…超音波振動装置
６…殺菌室
６ａ…開口部
９…仕切り部
１０…膜状スクリーン
１７…殺菌表示ランプ
１９…制御装置
【図１】
2006129886.tif 000003
【図２】
2006129886.tif 000004
【図３】
2006129886.tif 000005
【図４】
2006129886.tif 000006
【図５】
2006129886.tif 000007
【図６】
2006129886.tif 000008